(57)【要約】【課題】  測定対象角の角度を簡単かつ迅速に把握でき、角度数値が読み易く、測定の際に目が疲労しない分度器を提供する。【解決手段】  図形の角度を測定するための分度器において、半円板状に形成された基板と、  上記基板の半円中心部から円周端部に向かって、径方向に沿って所定角度毎に設けられた目盛線と、上記所定角度毎に上記目盛線の円周端部に設けられた矢印マークとを有し、上記目盛線で区切られた円弧部が所定角度毎に交互別色に着色されていることを特徴とする。【選択図】図１
0003136108.tif 000002
【実用新案登録請求の範囲】
【請求項１】
図形の角度を測定するための分度器において、
半円板状に形成された基板と、
上記基板の半円中心部から円周端部に向かって、径方向に沿って所定角度毎に設けられた目盛線と、上記所定角度毎に上記目盛線の円周端部に設けられた矢印マークとを有し、
上記目盛線で区切られた円弧部が所定角度毎に交互別色に着色されていることを特徴とする分度器。
【請求項２】
上記矢印マークが、所定角度毎に複数設けられていることを特徴とする請求項１の分度器。
【請求項３】
上記基板の円周端部には、直線部の両端に夫々０度基点を有する２本の角度数値列が設けられると共に、
内方には９０度位置に０度起点を有する角度数列が設けられていることを特徴とする請求項１または２記載いずれか１項記載の分度器。  
【考案の詳細な説明】
【技術分野】
【０００１】
本考案は図形角度の測定及び作図作業における角度測定を行うための分度器に関する。
【背景技術】
【０００２】
物品及び設計作図面等の角度測定を行う為、分度器が広く用いられている。
【０００３】
従来の分度器は透明若しくは半透明の半円板状に形成された基板の表面に、所定間隔毎に目盛線が設けられているものが用いられていた。
【０００４】
角度を測定する場合には、測定対象角の交点と、基板の半円中心部の位置を合致させた後、測定対象角を構成する一方辺を零度起点に合わせ、他方辺が通過する目盛線を読み取ることで行われていた。
【０００５】
しかし、角度数値を読み取る場合、目盛線が読み難く、非常に目が疲労するという不具合を有していた。
【考案の開示】
【考案が解決しようとする課題】
【０００６】
本考案の課題は、測定対象角の角度を簡単かつ迅速に把握でき、角度数値が読み易く、測定の際に目が疲労しない分度器を提供することにある。
【課題を解決するための手段】
【０００７】
上記課題を解決するため、請求項１に記載された考案に係る分度器は、半円板状に形成された基板と、上記基板の半円中心部から円周端部に向かって、径方向に沿って所定角度毎に設けられた目盛線と、上記所定角度毎に上記目盛線の円周端部に設けられた矢印マークとを有し、上記目盛線で区切られた円弧部が所定角度毎に交互別色に着色されていることを特徴とする。
【０００８】
従って、上記矢印マークによって目盛線の読み取りが容易となり、かつ目盛線で区切られた円弧部が所定角度毎に交互別色に着色されているため、測定対象角が所定の角度以上若しくは以下であるかを視覚的に迅速に把握できる。
【０００９】
また、請求項２に記載された考案に係る分度器は、上記矢印マークが、所定角度毎に径方向に沿って複数設けられていることを特徴とする。
【００１０】
従って、目盛線を読み取る際、矢印マーク目印となり目盛線の読み違い起こりにくく、また、矢印マークをカウントすることで、測定対象角の概略値を把握することができる。
【００１１】
また、請求項３に記載された考案に係る分度器は、上記基板の円周端部には、直線部の両端に夫々０度基点を有する２本の角度数値列が設けられると共に、内方には９０度位置に０度起点を有する角度数列が設けられていることを特徴とする。
【００１２】
従って、測定対象角の開放方向に合わせて任意の方向から角度測定を行うことができる。
【考案の効果】
【００１３】
請求項１及び２の考案に係る分度器は、半円板状に形成された分度器基板と、上記基板の半円中心部から円周端部に向かって、径方向に沿って所定角度毎に設けられた目盛線と、上記目盛線の円周端部に設けられた矢印マークとを有し、上記目盛線で区切られた円弧部が所定角度毎に交互別色に着色されていることから、測定対象角の角度を簡単かつ迅速に把握することができる。
また角度数値が読み易く、測定の際に目が疲労することがない。
特に請求項２の考案に係る分度器の場合、上記矢印マークが、所定角度毎に径方向に沿って複数設けられていることから、複数矢印マーク箇所をカウントすることで容易に測定対象角の概略値を把握することができる。
【００１４】
請求項３の考案に係る分度器は、上記基板の円周端部には、直線部の両端に夫々０度基点を有する２本の角度数値列が設けられると共に、内方には９０度位置に０度起点を有する角度数列が設けられているため、測定対象角の開放方向に合わせて任意の方向から角度測定が可能であり、分度器基板を裏返したり、傾けて使用する必要がないことから、角度数値列が読み易く、より容易に角度測定が可能である。
【考案を実施するための最良の形態】
【００１５】
以下添付図面を用いて、矢印マークと交互別色の着色が１０度毎に設けられ、かつ３０度毎に矢印マークが二つ並んで設けられている場合を例に本考案の実施の形態を説明する。
【００１６】
図１に示すとおり、本実施の形態に係る分度器は、半円板状に形成された分度器基板１０と、上記基板１０の半円中心部１１から円周端部１２に向かって、径方向に沿って１０度毎に設けられた目盛線１３と、上記目盛線１３の円周端部１２に設けられた矢印マーク１４とを有し、上記目盛線１３で区切られた円弧部１５が１０度毎に交互別色に着色されている。
また、上記矢印マーク１４は３０度毎に径方向に二つ縦列して設けられている。
上記基板１０の円周端部１１には、直線部１６の両端に夫々０度基点１７を有する２本の角度数値列１８ａ、１８ｂが設けられており、上記角度数値列１８ｂの内方には９０度位置に０度起点を有する角度数列１８ｃが設けられている。
【実施例】
【００１７】
上記構成により、角度測定を行う場合の作用について詳細を説明する。
【００１８】
図２〜４に示すとおり、測定対象角物１９の角度θ、θ１、θ２の交点と、基板１０の半円中心部１１の位置を合致させた後、測定対象角θ、θ１、θ２を構成する一方辺２０を零度起点１７に合わせ、他方辺２１が通過する目盛線１３を読み取ることで角度が測定される。
上記の場合、基板１０の円弧部１３が１０度毎に交互に着色されているため、角度θ、θ１，θ２の角度数値を迅速に把握できる。
また、１０度毎の矢印マーク及び３０度毎の縦列矢印マークが設けられているため、矢印マークをカウントすることで、より迅速に角度数値が把握できる。
【００１９】
また、図２〜４に示すとおり、測定対象物１９の開放方向によって、使用する零度起点１７を切替えることで、分度器基板１０を裏返す、若しくは傾けることなく使用することができる。
従って、角度数値列１８ａ，１８ｂ，１８ｃの数値が読み易く、容易に角度測定を行うことができる。
【産業上の利用可能性】
【００２０】
本考案は、図形角度の測定及び製図作業等に用いられる分度器に利用可能である。
【図面の簡単な説明】
【００２１】
【図１】本実施の形態に係るの分度器の正面図である。
【図２】本実施の形態における角度測定方法例を示す図である。
【図３】本実施の形態における別途の角度測定方法例を示す図である。
【図４】本実施の形態における別途の角度測定方法例を示す図である。
【符号の説明】
【００２２】
１０  分度器基板
１１  基板１０の半円中心部
１２  基板１０の円周端部
１３  目盛線
１４  矢印マーク
１５  目盛線１３で区切られた円弧部
１６  基板１０の直線部
１７  ０度起点
１８ａ  角度数列
１８ｂ  角度数列
１８ｃ  角度数列
１９  測定対象物
２０  測定対象角の一方辺
２１  測定対象角の他方辺
θ、θ１、θ２  測定対象角度
【図１】
0003136108.tif 000003
【図２】
0003136108.tif 000004
【図３】
0003136108.tif 000005
【図４】
0003136108.tif 000006